【手続補正書】
【提出日】平成15年6月26日(2003.6.26)
【手続補正１】
【補正対象書類名】明細書
【補正対象項目名】発明の名称
【補正方法】変更
【補正の内容】
【発明の名称】中継装置及び通信システム
【手続補正２】
【補正対象書類名】明細書
【補正対象項目名】特許請求の範囲
【補正方法】変更
【補正の内容】
【特許請求の範囲】
【請求項１】
無線ゾーンを有する無線基地局の無線ゾーン内の電波不感地帯をカバーする中継装置であって、
前記中継装置は、前記無線ゾーンに割り当てられている周波数チャネル以外の周波数チャネルに係る搬送波を用いた信号を送信できるデータ送出装置を備えることを特徴とする中継装置。
【請求項２】
無線ゾーンを有する無線基地局の無線ゾーン内の電波不感地帯となる建造物内をカバーする中継装置であって、
前記中継装置は、前記建造物内の構内放送情報を送信することができる周波数チャネルを設けることを特徴とする中継装置。
【請求項３】
無線基地局が有する無線ゾーン内で通信可能となる携帯電話端末と、前記無線ゾーン内の電波不感地帯をカバーする中継装置とを有する通信システムであって、
前記中継装置は、前記無線ゾーンに割り当てられている周波数チャネル以外の周波数チャネルに係る搬送波を用いた信号を送信できるデータ送出装置を備え、前記携帯電話端末が前記中継装置がカバーする電波不感地帯内で所定の電話番号を発呼した場合に、前記データ送出装置から送出した当該周波数チャネル以外の周波数チャネルに係る搬送波を用いた信号を使用することを特徴とする通信システム。
【請求項４】
無線基地局が有する無線ゾーン内で通信可能となる携帯電話端末と、前記無線ゾーン内の電波不感地帯をカバーする中継装置とを有する通信システムであって、
前記中継装置は、前記建造物内の構内放送情報を送信することができる周波数チャネルを設け、
前記携帯電話端末が前記中継装置がカバーする電波不感地帯内で所定の電話番号を発呼した場合に、前記中継装置は構内放送情報を送信することができる周波数チャネルを使用して、前記携帯電話端末に構内放送情報を送信することを特徴とする通信システム。
【請求項５】
複数の無線ゾーンより構成されている携帯電話サービスエリアの１つの無線ゾーン内の無線基地局と、当該無線ゾーン内の電波不感地帯内にある携帯電話端末との間の無線電話回線を中継する中継装置において、
前記電波不感地帯外に設置され、前記無線基地局に対向している第１の送受信アンテナと、
前記第１の送受信アンテナに接続されている第１のアンテナ共用器と、
前記電波不感地帯内に設置され、前記携帯電話端末に対向している第２の送受信アンテナと、
前記第２の送受信アンテナに接続されている第２のアンテナ共用器と、
送信用データを入力するデータ入力装置と、
前記データ入力装置より入力された送信用データを入力すると共に、前記当該無線ゾーンに割当てられている周波数チャネル以外の１つの周波数チャネルを用いて、当該送信用データに係る変調波電気信号を送出するデータ送出装置と、
前記第１のアンテナ共用器と第２のアンテナ共用器との間の下り回線用伝送線路に挿入接続されており、前記データ送出装置から送出されてきた変調波電気信号と、
前記第１のアンテナ共用器側から送られてきた中継装置下り受信信号とを合成して、この合成により得られた合成電気信号を前記第２のアンテナ共用器側に送出する合成器とを備えることを特徴とする中継装置。
【請求項６】
無線ゾーンを有する無線基地局と、その無線ゾーン内の電波不感地帯内にある携帯電話端末と、請求項１記載の中継装置とからなる通信システムであって、
前記携帯電話端末より特定の発呼があったときは、この発呼が制御チャネルにより、前記中継装置を介して前記無線基地局に送られ、
前記無線基地局は前記発呼を受けて、前記携帯電話中継装置を介して、前記制御チャネルにより前記携帯電話端末へ、特定の制御信号を送信し、前記携帯電話は、この制御信号を受信して、送信動作を停止した上で、受信周波数チャネルを前記携帯電話中継装置のデータ送出装置で用いられている周波数チャネルに固定し、当該周波数チャネルでの受信を行うようにしたことを特徴とする通信システム。
【手続補正３】
【補正対象書類名】明細書
【補正対象項目名】０００８
【補正方法】変更
【補正の内容】
【０００８】本発明の請求項１記載の中継装置は、無線ゾーンを有する無線基地局の無線ゾーン内の電波不感地帯をカバーする中継装置であって、前記中継装置は、前記無線ゾーンに割り当てられている周波数チャネル以外の周波数チャネルに係る搬送波を用いた信号を送信できるデータ送出装置を備えることを特徴とする。また、本発明の請求項２記載の中継装置は無線ゾーンを有する無線基地局の無線ゾーン内の電波不感地帯となる建造物内をカバーする中継装置であって、前記中継装置は、前記建造物内の構内放送情報を送信することができる周波数チャネルを設けることを特徴とする。
【手続補正４】
【補正対象書類名】明細書
【補正対象項目名】０００９
【補正方法】変更
【補正の内容】
【０００９】次に、本発明の請求項３記載の通信システムは、無線基地局が有する無線ゾーン内で通信可能となる携帯電話端末と、前記無線ゾーン内の電波不感地帯をカバーする中継装置とを有する通信システムであって、前記中継装置は、前記無線ゾーンに割り当てられている周波数チャネル以外の周波数チャネルに係る搬送波を用いた信号を送信できるデータ送出装置を備え、前記携帯電話端末が前記中継装置がカバーする電波不感地帯内で所定の電話番号を発呼した場合に、前記データ送出装置から送出した当該周波数チャネル以外の周波数チャネルに係る搬送波を用いた信号を使用することを特徴とする。また、本発明の請求項４記載の通信システムは、無線基地局が有する無線ゾーン内で通信可能となる携帯電話端末と、前記無線ゾーン内の電波不感地帯をカバーする中継装置とを有する通信システムであって、前記中継装置は、前記建造物内の構内放送情報を送信することができる周波数チャネルを設け、前記携帯電話端末が前記中継装置がカバーする電波不感地帯内で所定の電話番号を発呼した場合に、前記中継装置は構内放送情報を送信することができる周波数チャネルを使用して、前記携帯電話端末に構内放送情報を送信することを特徴とする。
【手続補正５】
【補正対象書類名】明細書
【補正対象項目名】００１０
【補正方法】変更
【補正の内容】
【００１０】更に、本発明の請求項５記載の中継装置は、複数の無線ゾーンより構成されている携帯電話サービスエリアの１つの無線ゾーン内の無線基地局と、当該無線ゾーン内の電波不感地帯内にある携帯電話端末との間の無線電話回線を中継する中継装置において、前記電波不感地帯外に設置され、前記無線基地局に対向している第１の送受信アンテナと、前記第１の送受信アンテナに接続されている第１のアンテナ共用器と、前記電波不感地帯内に設置され、前記携帯電話端末に対向している第２の送受信アンテナと、前記第２の送受信アンテナに接続されている第２のアンテナ共用器と、送信用データを入力するデータ入力装置と、前記データ入力装置より入力された送信用データを入力すると共に、前記当該無線ゾーンに割当てられている周波数チャネル以外の１つの周波数チャネルを用いて、当該送信用データに係る変調波電気信号を送出するデータ送出装置と、前記第１のアンテナ共用器と第２のアンテナ共用器との間の下り回線用伝送線路に挿入接続されており、前記データ送出装置から送出されてきた変調波電気信号と、前記第１のアンテナ共用器側から送られてきた中継装置下り受信信号とを合成して、この合成により得られた合成電気信号を前記第２のアンテナ共用器側に送出する合成器とを備えることを特徴とする。
【手続補正６】
【補正対象書類名】明細書
【補正対象項目名】００１１
【補正方法】変更
【補正の内容】
【００１１】また、本発明の請求項６記載の通信システムは、無線ゾーンを有する無線基地局と、その無線ゾーン内の電波不感地帯内にある携帯電話端末と、請求項１記載の中継装置とからなる通信システムであって、前記携帯電話端末より特定の発呼があったときは、この発呼が制御チャネルにより、前記中継装置を介して前記無線基地局に送られ、前記無線基地局は前記発呼を受けて、前記携帯電話中継装置を介して、前記制御チャネルにより前記携帯電話端末へ、特定の制御信号を送信し、前記携帯電話は、この制御信号を受信して、送信動作を停止した上で、受信周波数チャネルを前記携帯電話中継装置のデータ送出装置で用いられている周波数チャネルに固定し、当該周波数チャネルでの受信を行うようにしたことを特徴とする。